(57)【要約】      （修正有）【課題】香りの異なる多種類の香り付き布製おしぼりを容易に製造することができる布製おしぼり香り付け装置を提供する。【解決手段】第１下部コンベアと、第１下部コンベアの下流側端部に形成される下部コンベア接続部に上流側端部が配置された第２下部コンベアと、第１下部コンベアの上側に配置された第１上部コンベアと、第１上部コンベアの下流側端部であって上部コンベア接続部に上流側端部が配置された第２上部コンベアと、下部コンベア及び上部コンベア接続部の少なくとも一方に設けられた香料液を噴出する香料液ノズルと、第１下部コンベア及び第２下部コンベアと、第１上部コンベア及び第２上部コンベアとにより折り畳まれたおしぼりタオルを挟んだ状態で搬送する際におしぼりタオルの位置を検出するセンサと、検出されたおしぼりタオルの位置を用いて、香料液ノズルから香料液を噴出させるタイミングを制御する香料液噴出制御部とを備える。【選択図】図１
2018086119.tif 000002
【特許請求の範囲】
【請求項１】
第１下部コンベアと、
前記第１下部コンベアの下流側端部に形成される下部コンベア接続部に上流側端部を位置させて配置された第２下部コンベアと、
前記第１下部コンベアの上側に配置された第１上部コンベアと、
前記第１上部コンベアの下流側端部であって、前記下部コンベア接続部の上部よりも上流側又は下流側に設けられた上部コンベア接続部に上流側端部を位置させて配置された第２上部コンベアと、
前記下部コンベア接続部及び前記上部コンベア接続部の少なくとも一方に設けられた香料液を噴出する香料液ノズルと、
前記第１下部コンベア及び前記第２下部コンベアと、前記第１上部コンベア及び前記第２上部コンベアとにより折り畳まれたおしぼりタオルを挟んだ状態で搬送する際に、前記おしぼりタオルの位置を検出するセンサと、
前記センサにより検出された前記おしぼりタオルの位置を用いて、前記香料液ノズルから香料液を噴出させるタイミングを制御する香料液噴出制御部と、
を備えることを特徴とする布製おしぼり香り付け装置。
【請求項２】
前記第１上部コンベア及び前記第２上部コンベアの上下方向の位置を変更する上下位置変更機構を備えることを特徴とする請求項１記載の布製おしぼり香り付け装置。
【請求項３】
前記第１下部コンベア、前記第２下部コンベア、前記第１上部コンベア及び前記第２上部コンベアは、それぞれ上流端プーリー、下流端プーリー及び前記上流端プーリーと前記下流端プーリーに掛け渡された複数本のベルトを備えることを特徴とする請求項１または２記載の布製おしぼり香り付け装置。
【請求項４】
前記香料液ノズルは、異なる香りの前記香料液をそれぞれ貯蔵する複数の前記香料液タンク中から選択された前記香料液タンクに接続されることを特徴とする請求項１〜３何れか一項に記載の布製おしぼり香り付け装置。
【請求項５】
前記香料液噴出制御部は、更に前記香料液ノズルから噴出される前記香料液の噴出量及び噴出時間の少なくとも一方を制御することを特徴とする請求項１〜４の何れか一項に記載の布製おしぼり香り付け装置。
【請求項６】
前記香料液には、アロマオイルが含まれることを特徴とする請求項１〜５の何れか一項に記載の布製おしぼり香り付け装置。
【請求項７】
前記アロマオイルは、シトラス、ペパーミント、ラベンダー、シトラール、クロモジ、ニオイコブシ、ヒノキ、スギ、モミ、ヒメコマツの何れかの香りを有することを特徴とする請求項６記載の布製おしぼり香り付け装置。
【請求項８】
請求項１〜７の何れか一項に記載の布製おしぼり香り付け装置と、
前記布製おしぼり香り付け装置により香りを付けた前記おしぼりタオルを包装する布製おしぼり包装機と
を備えることを特徴とする布製おしぼり製造装置。
【請求項９】
請求項１〜７の何れか一項に記載の布製おしぼり香り付け装置により前記おしぼりタオルに香りを付ける工程と、
香りを付けた前記おしぼりタオルを包装する工程と
を含むことを特徴とする布製おしぼり製造方法。
【発明の詳細な説明】
【技術分野】
【０００１】
本発明は、布製のおしぼりに香りを付ける布製おしぼり香り付け装置、布製おしぼり製造装置及び布製おしぼり製造方法に関するものである。
【背景技術】
【０００２】
布製のおしぼりは、おしぼりタオルを洗濯した後に一度乾燥させ、検品を行った後に薬液を含浸させ、プレス機を用いて脱水した後におしぼりの形に折り畳み、包装機により包装を行うことにより製造している。ところで香りの付いた布製のおしぼりを製造する場合には、例えば、シトラス、ペパーミント、ラベンダー等のアロマオイルを香料として含んだ薬液をおしぼりタオルに含浸させることにより、それぞれの香りの付いた布製のおしぼりを製造することができる。この場合には薬液を貯留する薬液タンク内に香料を投入して薬液に香料を混合し、おしぼりタオルを投入しておしぼりタオルに香料を含んだ薬液を含浸させ、プレス機により脱水する方法が考えられる。なお紙製のおしぼりに香りを付ける装置は、特許文献１に開示されている。
【先行技術文献】
【特許文献】
【０００３】
【特許文献１】特許第５８７７９２５号公報
【発明の概要】
【発明が解決しようとする課題】
【０００４】
しかしながら、上述の方法を用いて香りの付いた布製のおしぼりを製造する場合には、薬液タンクやプレス機に香料が付着するため、香料の種類を切替える毎に香料が付着した薬液タンクやプレス機を洗浄する必要が生じる。この場合、香りが残らなくなるまで薬液タンクやプレス機を洗浄する必要があるため、洗浄を行うのに手間と時間が掛かることから、香りの異なる多種類の香り付き布製おしぼりを容易に製造することは困難であった。
【０００５】
本発明の目的は、香りの異なる多種類の香り付き布製おしぼりを容易に製造することができる布製おしぼり香り付け装置、布製おしぼり製造装置及び布製おしぼり製造方法を提供することである。
【課題を解決するための手段】
【０００６】
本発明の布製おしぼり香り付け装置は、第１下部コンベアと、前記第１下部コンベアの下流側端部に形成される下部コンベア接続部に上流側端部を位置させて配置された第２下部コンベアと、前記第１下部コンベアの上側に配置された第１上部コンベアと、前記第１上部コンベアの下流側端部であって、前記下部コンベア接続部の上部よりも上流側又は下流側に設けられた上部コンベア接続部に上流側端部を位置させて配置された第２上部コンベアと、前記下部コンベア接続部及び前記上部コンベア接続部の少なくとも一方に設けられた香料液を噴出する香料液ノズルと、前記第１下部コンベア及び前記第２下部コンベアと、前記第１上部コンベア及び前記第２上部コンベアとにより折り畳まれたおしぼりタオルを挟んだ状態で搬送する際に、前記おしぼりタオルの位置を検出するセンサと、前記センサにより検出された前記おしぼりタオルの位置を用いて、前記香料液ノズルから香料液を噴出させるタイミングを制御する香料液噴出制御部とを備えることを特徴とする。
【０００７】
本発明の布製おしぼり香り付け装置は、前記第１上部コンベア及び前記第２上部コンベアの上下方向の位置を変更する上下位置変更機構を備えることを特徴とする。
【０００８】
本発明の布製おしぼり香り付け装置は、前記第１下部コンベア、前記第２下部コンベア、前記第１上部コンベア及び前記第２上部コンベアがそれぞれ上流端プーリー、下流端プーリー及び前記上流端プーリーと前記下流端プーリーに掛け渡された複数本のベルトを備えることを特徴とする。
【０００９】
本発明の布製おしぼり香り付け装置は、前記香料液ノズルが異なる香りの前記香料液をそれぞれ貯蔵する複数の前記香料液タンク中から選択された前記香料液タンクに接続されることを特徴とする。
【００１０】
本発明の布製おしぼり香り付け装置は、前記香料液噴出制御部が更に前記香料液ノズルから噴出される前記香料液の噴出量及び噴出時間の少なくとも一方を制御することを特徴とする。
【００１１】
本発明の布製おしぼり香り付け装置は、前記香料液には、アロマオイルが含まれることを特徴とする。
【００１２】
本発明の布製おしぼり香り付け装置は、前記アロマオイルが、シトラス、ペパーミント、ラベンダー、シトラール、クロモジ、ニオイコブシ、ヒノキ、スギ、モミ、ヒメコマツの何れかの香りを有することを特徴とする。
【００１３】
本発明の布製おしぼり製造装置は、本発明の布製おしぼり香り付け装置と、前記布製おしぼり香り付け装置により香りを付けた前記おしぼりタオルを包装する布製おしぼり包装機とを備えることを特徴とする。
【００１４】
本発明の布製おしぼり製造方法は、本発明の布製おしぼり香り付け装置により前記おしぼりタオルに香りを付ける工程と、香りを付けた前記おしぼりタオルを包装する工程とを含むことを特徴とする。
【発明の効果】
【００１５】
本発明によれば、香りの異なる多種類の香り付き布製おしぼりを容易に製造することができる布製おしぼり香り付け装置を提供することができる。
【図面の簡単な説明】
【００１６】
【図１】実施の形態に係る布製おしぼり香り付け装置を側方から視た概略図である。
【図２】実施の形態に係る布製おしぼり香り付け装置の上部コンベア及び下部コンベアの斜視図である。
【図３】実施の形態に係る香料液供給機構を示す図である。
【図４】実施の形態に係る布製おしぼり香り付け装置のシステム構成図である。
【発明を実施するための形態】
【００１７】
以下、図面を参照して本発明の実施の形態に係る布製おしぼり香り付け装置について説明する。図１は布製おしぼり香り付け装置を側方から視た概略図、図２は布製おしぼり香り付け装置の上部コンベア及び下部コンベアの斜視図である。
【００１８】
図１及び図２に示すように布製おしぼり香り付け装置２は、下部コンベア４と下部コンベア４の上側に配置された上部コンベア８を備えている。下部コンベア４は、第１下部コンベア５と第２下部コンベア６を備え、第２下部コンベア６は、第１下部コンベア５の下流側端部に形成される下部コンベア接続部７に上流側端部を位置させて配置されている。
【００１９】
また上部コンベア８は、第１上部コンベア９と第２上部コンベア１０を備え、第２上部コンベア１０は第１上部コンベア９の下流側端部であって、下部コンベア接続部７の上部よりも上流側に設けられた上部コンベア接続部１１に上流側端部を位置させて配置されている。
【００２０】
ここで第１下部コンベア５は、上流端プーリー５ａ及び下流端プーリー５ｂと、上流端プーリー５ａと下流端プーリー５ｂに掛け渡された複数本のベルト５ｃを備え、第２下部コンベア６は、上流端プーリー６ａ及び下流端プーリー６ｂと、上流端プーリー６ａと下流端プーリー６ｂに掛け渡された複数本のベルト６ｃを備えている。また第１上部コンベア９は、上流端プーリー９ａ及び下流端プーリー９ｂと、上流端プーリー９ａと下流端プーリー９ｂに掛け渡された複数本のベルト９ｃを備え、第２上部コンベア１０は、上流端プーリー１０ａ及び下流端プーリー１０ｂと、上流端プーリー１０ａと下流端プーリー１０ｂに掛け渡された複数本のベルト１０ｃを備えている。
【００２１】
下部コンベア接続部７には、香料液を噴出する下部香料液ノズル１２が配置され、上部コンベア接続部１１には、香料液を噴出する上部香料液ノズル１３が配置されている。下部香料液ノズル１２及び上部香料液ノズル１３は、それぞれ長手方向がおしぼりタオル１４の進行方向と略直交するように配置されている。下部香料液ノズル１２の上側、即ち折り畳まれたおしぼりタオル１４の下面に対向する位置には、おしぼりタオル１４の下面に対して香料液を噴出する香料液噴出口（図示せず）が所定の間隔で複数形成されている。また上部香料液ノズル１３の下側、即ち折り畳まれたおしぼりタオル１４の上面に対向する位置には、おしぼりタオル１４の上面に対して香料液を噴出する香料液噴出口（図示せず）が所定の間隔で複数形成されている。
【００２２】
また、第１下部コンベア５と第１上部コンベア９との間には、下部コンベア４と上部コンベア８とにより、折り畳まれたおしぼりタオル１４を挟んだ状態で搬送する際に、おしぼりタオル１４の位置を検出するセンサ１６が設けられている。また下部コンベア４と上部コンベア８により搬送するおしぼりタオル１４の厚さ、即ちおしぼりタオル１４自体の厚さや、丸型、平型等おしぼりタオル１４の折り畳み方に応じて、第１上部コンベア９及び第２上部コンベア１０の上下方向の位置を変更する上下位置変更機構１８を備えている。
【００２３】
図３は、下部香料液ノズル１２及び上部香料液ノズル１３に香料液を供給する香料液供給機構２０を示す図である。香料液供給機構２０は、香料液の香りの種類ごとに複数用意されている。例えばシトラスの香りの香料液を供給するための第１香料液供給機構２２、ペパーミントの香りの香料液を供給するための第２香料液供給機構２４、ラベンダーの香りの香料液を供給するための第３香料液供給機構２６がそれぞれ用意されている。
【００２４】
即ち第１香料液供給機構２２は、下部香料液ノズル１２、上部香料液ノズル１３、香料液供給管２２ａ、バルブ２２ｂ、ポンプ２２ｃ、香料液タンク２２ｄを備えており、第２香料液供給機構２４は、下部香料液ノズル１２、上部香料液ノズル１３、香料液供給管２４ａ、バルブ２４ｂ、ポンプ２４ｃ、香料液タンク２４ｄを備えており、第３香料液供給機構２６は、下部香料液ノズル１２、上部香料液ノズル１３、香料液供給管２６ａ、バルブ２６ｂ、ポンプ２６ｃ、香料液タンク２６ｄを備えている。
【００２５】
従って、おしぼりタオル１４に付ける香りに応じて、第１香料液供給機構２２、第２香料液供給機構２４及び第３香料液供給機構２６の中から選択した供給機構の下部香料液ノズル１２と上部香料液ノズル１３とが布製おしぼり香り付け装置２の下部コンベア接続部７と上部コンベア接続部１１にそれぞれ配置される。なお香料液には、シトラス、ペパーミント、ラベンダーの香りのアロマオイルを水に混合させたものを用いられる。
【００２６】
また香料液供給機構２０には、第１香料液供給機構２２の２つのバルブ２２ｂ、第２香料液供給機構２４の２つのバルブ２４ｂ、第３香料液供給機構２６の２つのバルブ２６ｂを制御する香料液供給制御部２８が備えられている。香料液供給制御部２８は第１香料液供給機構２２の２つのバルブ２２ｂを制御することにより下部香料液ノズル１２と上部香料液ノズル１３から香料液を噴出させるタイミングや噴出量を制御する。また第２香料液供給機構２４の２つのバルブ２４ｂを制御することにより下部香料液ノズル１２と上部香料液ノズル１３から香料液を噴出させるタイミングや噴出量を制御する。更に第３香料液供給機構２６の２つのバルブ２６ｂを制御することにより下部香料液ノズル１２と上部香料液ノズル１３から香料液を噴出させるタイミングや噴出量を制御する。
【００２７】
図４は実施の形態に係る布製おしぼり香り付け装置のシステム構成図である。布製おしぼり香り付け装置２は、装置全体を制御する制御部３０を備え、制御部３０には、センサ１６、香料液供給制御部２８、操作部３２及びコンベア駆動部３４が接続されている。ここで操作部３２は、おしぼりタオル１４に付ける香りの種類に応じて第１香料液供給機構２２、第２香料液供給機構２４、第３香料液供給機構２６のいずれかを選択する選択スイッチ（図示せず）、下部コンベア４及び上部コンベア８の走行速度、香料液噴出タイミング、香料液の噴出量等の設定を行う設定部を備えている。またコンベア駆動部３４は、下部コンベア４及び上部コンベア８の駆動制御を行う。
【００２８】
香り付き布製おしぼりを製造する場合には、おしぼりタオルを洗濯した後に一度乾燥させ、検品を行った後に薬液を含浸させる。ここで薬液には、水、殺菌作用を有する塩化系薬剤、その他の布製おしぼりの抗菌、抗ウイルス剤、界面活性剤等が含まれる。その後、おしぼりタオルをプレス機を用いて脱水した後に、おしぼりの形に折り畳み布製おしぼり香り付け装置２に投入する。即ち作業員は、折り畳んだおしぼりタオル１４を順次第１下部コンベア５上に置く。おしぼりタオル１４は、コンベア駆動部３４により駆動されている第１下部コンベア５と第１上部コンベア９との間に挟まれた状態で下流側に搬送される。おしぼりタオル１４の位置は、センサ１６により検出され制御部３０に対して出力される。
【００２９】
制御部３０は、センサ１６により検出されたおしぼりタオル１４の位置を用いておしぼりタオル１４が上部コンベア接続部１１まで搬送されたタイミングで、上部香料液ノズル１３から香料液を噴出させる。例えば第１香料液供給機構２２が選択されている場合には、第１香料液供給機構２２の上部香料液ノズル１３が上部コンベア８の所定の位置に設置されていることから、上部香料液ノズル１３に香料液を供給するバルブ２２ｂを制御して上部香料液ノズル１３からおしぼりタオル１４に対して香料液を噴出させる。
【００３０】
その後おしぼりタオル１４は、第１下部コンベア５と第２上部コンベア１０との間に挟まれた状態で下流側に搬送される。制御部３０はセンサ１６により検出されたおしぼりタオル１４の位置を用いておしぼりタオル１４が下部コンベア接続部７まで搬送されたタイミングで、下部香料液ノズル１２から香料液を噴出させる。例えば第１香料液供給機構２２が選択されている場合には、第１香料液供給機構２２の下部香料液ノズル１２が下部コンベア４の所定の位置に設置されていることから、下部香料液ノズル１２に香料液を供給するバルブ２２ｂを制御して上部香料液ノズル１２からおしぼりタオル１４に対して香料液を噴出させる。
【００３１】
その後おしぼりタオル１４は、第２下部コンベア６と第２上部コンベア１０との間に挟まれた状態で下流側に搬送される。第２下部コンベア６の下流端まで搬送されたおしぼりタオル１４は、布製おしぼり香り付け装置２の下流側に連結される布製おしぼり包装機（図示せず）に受け渡される。布製おしぼり包装機においては、ポリエチレン、ポリオレフィン、塩化ビニルなどの樹脂製のシートにより構成される包装フィルムでおしぼりタオルの包装を行い布製おしぼりが完成する。
【００３２】
なお、異なる香りの布製おしぼりを製造する場合には、操作部３２において他の香りの香料液を供給する他の香料液供給機構を選択すると共に、選択された香料液供給機構の下部香料液ノズル１２と上部香料液ノズル１３を下部コンベア４と上部コンベア８の所定の位置にそれぞれ設置する。そして上述の同様な工程を実施することにより他の香り付き布製おしぼりを製造する。
【００３３】
この実施の形態の布製おしぼり香り付け装置２によれば、香りの異なる香り付き布製おしぼりを製造する場合に、薬液タンク、プレス機等を洗浄する必要がない。また複数の香料液供給機構の中から所望の香りの香料液を供給する香料液供給機構を選択し、選択された香料液供給機構の下部香料液ノズル１２及び上部香料液ノズル１３を下部コンベア４と上部コンベア８の所定の位置にそれぞれ設置するため、香料液の種類を切替える毎にアロマオイルが付着した香料液ノズル、香料液供給管、バルブ、ポンプ、香料液タンク等を洗浄する必要がなく、香りの異なる多種類の布製おしぼりを容易に製造することができる。
【００３４】
またこの実施の形態の布製おしぼり香り付け装置２によれば、下部コンベア４と上部コンベア８とにより布製おしぼり１４を挟んだ状態で下部香料液ノズル１２及び上部香料液ノズル１３から香料液を噴出させるため、おしぼりタオル１４が位置ずれすることなく確実に香料液を付着させることができる。
【００３５】
またこの実施の形態の布製おしぼり香り付け装置２によれば、下部コンベア４と上部コンベア８により搬送するおしぼりタオル１４の厚さに応じて、第１上部コンベア９及び第２上部コンベア１０の上下方向の位置を変更する上下位置変更機構１８を備えているため、おしぼりタオル１４自体の厚さが変更された場合や、丸型、平型等異なる折り畳み方のおしぼりタオル１４が供給された場合においても、確実におしぼりタオル１４の搬送及び香料液の付着を行うことができる。
【００３６】
またこの実施の形態の布製おしぼり香り付け装置２によれば、第１下部コンベア５、第２下部コンベア６、第１上部コンベア９、第２上部コンベア１０が上流端プーリー及び下流端プーリーと、上流端プーリーと下流端プーリーに掛け渡された複数本のベルトにより構成されているため、第１下部コンベア５、第２下部コンベア６、第１上部コンベア９、第２上部コンベア１０への香料液の付着量を少なくすることができ、香りの異なる香り付き布製おしぼりを製造する場合に、第１下部コンベア５、第２下部コンベア６、第１上部コンベア９、第２上部コンベア１０の洗浄をきわめて容易に行うことができる。
【００３７】
またこの実施の形態の布製おしぼり香り付け装置２によれば、第１下部コンベア５と第２下部コンベア６の間に下部香料液ノズル１２を配置すると共に、第１上部コンベア９と第２上部コンベア１０の間に上部香料液ノズル１３を配置しているため、おしぼりタオル１４に近接した位置において下部香料液ノズル１２及び上部香料液ノズル１３から香料液を噴出させることができる。従って余分な香料液の噴出を抑制させながらおしぼりタオル１４に確実に香料液を付着させることができる。
【００３８】
なおこの実施の形態においては、第２上部コンベア１０は第１上部コンベア９の下流側端部であって、下部コンベア接続部７の上部よりも上流側に設けられた上部コンベア接続部１１に上流側端部を位置させて配置されているが、第１上部コンベア９の下流側端部であって、下部コンベア接続部７の上部よりも下流側に設けられた上部コンベア接続部１１に上流側端部を位置させて配置するようにしてもよい。
【００３９】
またこの実施の形態においては、下部香料液ノズル１２及び上部香料液ノズル１３を備えているが、下部香料液ノズル１２、上部香料液ノズル１３のいずれか一方でもよい。
【００４０】
またこの実施の形態においては、香料液噴出制御部２８が下部香料液ノズル１２、及び上部香料液ノズル１３から噴出される香料液の噴出量及び噴出時間の少なくとも一方を制御するようにしてもよい。
【００４１】
またこの実施の形態においては、香料液噴出制御部２８が下部香料液ノズル１２及び上部香料液ノズル１３から噴出される香料液の噴出量を異ならせるように制御してもよい。
【００４２】
またこの実施の形態においては、香料液として、シトラス、ペパーミント、ラベンダーの香りのアロマオイルを水に混合させたものを用いているが、その他、シトラール、クロモジ、ニオイコブシ、ヒノキ、スギ、モミ、ヒメコマツ等の香りのアロマオイルを水に混合させたものを用いてもよい。
【符号の説明】
【００４３】
２…布製おしぼり香り付け装置、４…下部コンベア、５…第１下部コンベア、６…第２下部コンベア、７…下部コンベア接続部、８…、上部コンベア、９…第１上部コンベア、１０…第２上部コンベア、１１…上部コンベア接続部、１２…下部香料液ノズル、１３…上部香料液ノズル、１４…おしぼりタオル、１６…センサ、１８…上下位置変更機構、２０…香料液供給機構、２２…第１香料液供給機構、２４…第２香料液供給機構、２６…第３香料液供給機構、２８…香料液供給制御部、３０…制御部、３２…操作部、３４…コンベア駆動部
【図１】
2018086119.tif 000003
【図２】
2018086119.tif 000004
【図３】
2018086119.tif 000005
【図４】
2018086119.tif 000006
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
第１下部コンベアと、
前記第１下部コンベアの下流側端部に形成される下部コンベア接続部に上流側端部を位置させて配置された第２下部コンベアと、
前記第１下部コンベアの上側に配置された第１上部コンベアと、
前記第１上部コンベアの下流側端部であって、前記下部コンベア接続部の上部よりも上流側又は下流側に設けられた上部コンベア接続部に上流側端部を位置させて配置された第２上部コンベアと、
前記下部コンベア接続部及び前記上部コンベア接続部の少なくとも一方に設けられた香料液を噴出する香料液ノズルと、
前記第１下部コンベア及び前記第２下部コンベアと、前記第１上部コンベア及び前記第２上部コンベアとにより折り畳まれたおしぼりタオルを挟んだ状態で搬送する際に、前記おしぼりタオルの位置を検出するセンサと、
前記センサにより検出された前記おしぼりタオルの位置を用いて、前記香料液ノズルから香料液を噴出させるタイミングを制御する香料液噴出制御部と、
を備え、
前記香料液ノズルは、異なる香りの前記香料液をそれぞれ貯蔵する複数の前記香料液タンク中から選択された前記香料液タンクに接続されることを特徴とする布製おしぼり香り付け装置。
【請求項２】
前記第１上部コンベア及び前記第２上部コンベアの上下方向の位置を変更する上下位置変更機構を備えることを特徴とする請求項１記載の布製おしぼり香り付け装置。
【請求項３】
前記第１下部コンベア、前記第２下部コンベア、前記第１上部コンベア及び前記第２上部コンベアは、それぞれ上流端プーリー、下流端プーリー及び前記上流端プーリーと前記下流端プーリーに掛け渡された複数本のベルトを備えることを特徴とする請求項１または２記載の布製おしぼり香り付け装置。
【請求項４】
前記香料液噴出制御部は、更に前記香料液ノズルから噴出される前記香料液の噴出量及び噴出時間の少なくとも一方を制御することを特徴とする請求項１〜３の何れか一項に記載の布製おしぼり香り付け装置。
【請求項５】
前記香料液には、アロマオイルが含まれることを特徴とする請求項１〜４の何れか一項に記載の布製おしぼり香り付け装置。
【請求項６】
前記アロマオイルは、シトラス、ペパーミント、ラベンダー、シトラール、クロモジ、ニオイコブシ、ヒノキ、スギ、モミ、ヒメコマツの何れかの香りを有することを特徴とする請求項５記載の布製おしぼり香り付け装置。
【請求項７】
請求項１〜６の何れか一項に記載の布製おしぼり香り付け装置と、
前記布製おしぼり香り付け装置により香りを付けた前記おしぼりタオルを包装する布製おしぼり包装機と
を備えることを特徴とする布製おしぼり製造装置。
【請求項８】
請求項１〜６の何れか一項に記載の布製おしぼり香り付け装置により前記おしぼりタオルに香りを付ける工程と、
香りを付けた前記おしぼりタオルを包装する工程と
を含むことを特徴とする布製おしぼり製造方法。
【手続補正２】
【補正対象書類名】明細書
【補正対象項目名】０００６
【補正方法】変更
【補正の内容】
【０００６】
本発明の布製おしぼり香り付け装置は、第１下部コンベアと、前記第１下部コンベアの下流側端部に形成される下部コンベア接続部に上流側端部を位置させて配置された第２下部コンベアと、前記第１下部コンベアの上側に配置された第１上部コンベアと、前記第１上部コンベアの下流側端部であって、前記下部コンベア接続部の上部よりも上流側又は下流側に設けられた上部コンベア接続部に上流側端部を位置させて配置された第２上部コンベアと、前記下部コンベア接続部及び前記上部コンベア接続部の少なくとも一方に設けられた香料液を噴出する香料液ノズルと、前記第１下部コンベア及び前記第２下部コンベアと、前記第１上部コンベア及び前記第２上部コンベアとにより折り畳まれたおしぼりタオルを挟んだ状態で搬送する際に、前記おしぼりタオルの位置を検出するセンサと、前記センサにより検出された前記おしぼりタオルの位置を用いて、前記香料液ノズルから香料液を噴出させるタイミングを制御する香料液噴出制御部と、を備え、前記香料液ノズルは、異なる香りの前記香料液をそれぞれ貯蔵する複数の前記香料液タンク中から選択された前記香料液タンクに接続されることを特徴とする。
【手続補正３】
【補正対象書類名】明細書
【補正対象項目名】０００９
【補正方法】削除
【補正の内容】